(57)【要約】【課題】初期乾燥時には、靴の踵部を下方に向けて水分の水切りを良くすると同時に、通常乾燥時には、靴の履口と爪先部を上方に向けて乾燥時間を早めることができる靴用の物干しハンガーの提供を図る。【解決手段】吊持フック部と連結基軸部と回動フレーム部とから構成される靴用物干しハンガーの回動フレームを連結基軸部に設けられる回動角度設定切欠溝の範囲内で回動する手段と、連結フレーム部の上辺部に設けられる枢支部を洗濯ピンチの枢軸凹部に嵌め込んで連結した手段を採る。【選択図】図1
0003164518.tif 000002
【実用新案登録請求の範囲】
【請求項１】
靴の自重と重心の移動で上下方向に回動する靴用物干しハンガーであって、
前記靴用物干しハンガーは、物干し竿に吊下する吊持フック部と、
乾燥する靴を保持しながら回動する回動フレーム部と、
前記吊持フック部と前記回動フレーム部を連結中継する連結基軸部と、から構成され、
前記回動フレーム部を前記連結基軸部の設定角度内で回動することによって、初期乾燥時には、靴の踵部を下方に向けて水分の水切りを良くすると同時に、通常乾燥時には、靴の履口と爪先部を上方に向けて陽当り良くして乾燥時間を早めることができることを特徴とする靴用物干しハンガー。
【請求項２】
前記吊持フック部は、略逆Ｕ字形に形成されるフック部の下端部に突起状の回動ジョイントを設けて成り、
前記連結基軸部は、水平に設けられるパイプ管の両端部に回動角度設定切欠溝を設け、
中央上側には段差付凹溝状の連結固定ジョイントを鉛直状に突設し、
中央下側には吊下フック掛け部を設けて成り、
前記回動フレーム部は、連結クランク部と連結フレーム部とで形成され、
前記連結クランク部は、基部に前記連結基軸部の回動角度設定切欠溝に当接される回動角度設定突起を設けて連結フレーム部の上端内側に連設され、
前記連結フレーム部は、上段甲部保持フレームと中段甲部保持フレームと下段踵部係止フレームとで形成され、
前記上段甲部保持フレームは、下方に付勢する線状体のフレームの先端部に突起状の連結固定ジョイントを設けて前記回動フレーム部の後方上段に設けられる段差付凹溝状の連結固定ジョイントに連結し、
前記中段甲部保持フレームは、線状体のフレームの先端部に突起状の連結固定ジョイントを設けて前記連結フレーム部の後方中段に設けられる段差付凹溝状の連結固定ジョイントに連結し、
前記下段踵部係止フレームは、線状体のフレームの先端部に突起状の連結固定ジョイントを設けて前記連結フレーム部の前方下段に設けられる段差付凹溝状の連結固定ジョイントに連結し、
該組み合わされた前記回動フレーム部を左右対称に設けて成り、
前記吊持フック部の突起状の回動ジョイントと前記連結基軸部の中央上側に設けられる段差付凹溝状の回動ジョイントを回動自在に連結し、
さらに、前記連結基軸部のパイプ管内において左右対称に組み合わされた前記回動フレームの連結部に設けられる段差付凹溝状の連結固定ジョイント同士を両側連結固定ジョイントを介して連結して成り、
前記上段甲部保持フレームと前記中段甲部保持フレームとの間に形成される空間部に靴の甲部を差し込み、さらに該靴の踵部に前記下段踵部係止フレームの線状体のフレームの一部を当接させた状態で、前記回動フレーム部が前記回動角度設定切欠溝の範囲内で回動することを特徴とする靴用物干しハンガー。
【請求項３】
前記連結フレーム部の上辺部に設けられる枢支部を洗濯ピンチの枢軸凹部に嵌め込んで連結したことを特徴とする請求項１または請求項２記載の靴用物干しハンガー。
【考案の詳細な説明】
【技術分野】
【０００１】
本考案は、靴の踵部を下方に向けて水分の水切りを良くすると同時に、靴の履口と爪先部を上方に向けて陽当り良くして乾燥時間を早めることができる靴用の物干しハンガーに関する。
【背景技術】
【０００２】
従来より、洗った靴を天日乾燥させるには、家の外壁などに立て掛けて干されることが多かったが、その立て掛け状態が不安定であったり、立て掛けるスペースが必要であったり、また、立て掛けることによって靴の踵部に水分が溜り乾燥時間が長時間に及んだりする問題があった。
【０００３】
そこで、それらの問題点を解決しようとする靴用の物干しハンガーが提案されている。例えば、パラソル型の吊りハンガーに起倒自在に取り付けられるアームに濡れた靴の履口を差し入れて乾燥する「多目的ハンガー」（特許文献１参照）や、二つの突起部を斜めに対向させて取り付けた「靴用ハンガー」（特許文献２参照）や、二つの突起部を斜めに並行させて取り付けた「靴乾し用ハンガー」（特許文献３参照）や、靴の踵部を狭着保持する「靴用ハンガー」（特許文献４参照）や、角度調整機構を有して靴を回動させる「靴等の乾燥用ハンガー装置」（特許文献５参照）や、線状体で形成された枠体に靴を差し込んで保持する「一本の線状体で連続形成されたくつハンガー」（特許文献６参照）や、籠体に靴を収納させて吊持する「靴干し用具」（特許文献６参照）などの多数の靴用物干しハンガーが提案され、公知技術となっている。
【０００４】
しかるに従来の物干しハンガーにおいては、下記の問題点の解決が指摘されるものであった。
（ａ）物干しハンガー本体が、軽量且つコンパクトで大量生産が可能であること。
（ｂ）物干し作業ならびにハンガーの操作が簡単であること。
（ｃ）靴の履口ならびに履底の踵部が下方に向いて水分が溜まらない構造であること。
（ｄ）靴の履口が上方を向いて履底の爪先部まで陽が当たる構造であること。
【０００５】
しかしながら、上記の「多目的ハンガー」（特許文献１参照）においては、（ａ）と（ｃ）と（ｄ）の問題点が指摘されるもので、パラソル型吊りハンガーのアームに濡れた靴の履口を差し入れて乾燥する構造であることから、吊りハンガー自体が大型になりがちであることや、常に靴をバランスよく配置して乾燥させなければならず、また、靴の履口が常に下方を向いているため、乾燥時間が長時間になる問題点があった。
【０００６】
また、「靴用ハンガー」（特許文献２参照）においては、（ｄ）の問題点が指摘されるもので、二つの突起部が対向して設けられているため、常にどちらか一方の靴の陽当たりが良くなく、また履口が常に下向きのため乾燥時間が長時間になる問題点があった。
【０００７】
また、「靴乾し用ハンガー」（特許文献３参照）においては、（ｄ）の問題点が指摘されるもので、二つの突起部を単に斜めにして並行に取り付けた構造であるため、靴の踵部に水分が溜まったり、爪先部まで陽が当たらない問題点があった。
【０００８】
また、「靴用ハンガー」（特許文献４参照）においては、（ｂ）と（ｄ）の問題が指摘されるもので、靴の踵部をハンガーの枠線で狭着保持する構造であるため、物干し作業が面倒で手間を要したり、靴の爪先部まで陽が当たらない問題点があった。
【０００９】
また、「靴等の乾燥用ハンガー装置」（特許文献５参照）においては、
（ｄ）の問題点が指摘されるもので、角度調整機構を有して靴を回動させる構造であるが、靴の爪先部まで陽が当たらない問題点があった。
【００１０】
また、「一本の線状体で連続形成されたくつハンガー」（特許文献６参照）においては、
（ａ） と（ｂ）の問題点が指摘されるもので、靴を籠体に収納させて吊持する構造であるため、ハンガー自体が大掛かりになり、また靴を籠体に収納させる作業が面倒な上、靴の大きさがある程度限定される問題点があった。
【００１１】
本考案者は、以上のような状況を鑑み、本考案の靴用物干しハンガーを開発にあたり下記に示す三つの開発テーマを掲げた。
第一の開発テーマは、物干しハンガー自体が軽量且つコンパクトで大量生産が可能であること。
第二の開発テーマは、物干し作業ならびにハンガーの操作が簡単であること。
第三の開発テーマは、靴の履口ならびに履底の踵部が下方に向いて水分が溜まることなく自然に水切りされる構造であると同時に、靴の履口が上方を向いて履底の爪先部まで陽が当たる構造を有する物干しハンガーであること。を前提条件とした。
【００１２】
そしてその第一の開発テーマを解決する手段としては、針金のような引き廻しによって一体化した物干しハンガーを製作するのではなく、あえて合成樹脂製の射出成型加工し易い単純形状に分散化し、組み立て方式とした靴用物干しハンガーを形成することによって大量生産を可能として製造コストの低廉を図った。
【００１３】
そしてその第二の開発テーマを解決する手段としては、靴用物干しハンガーの回動を物干しハンガー自体の自重と重心位置の移動によって自然に回動する方法を採用した。
【００１４】
そしてその第三の開発テーマを解決する手段としては、乾燥時間を早めるため、靴の履口ならびに履底の踵部が下方を向いて水分が溜まることなく自然に水切りされる構造とすると同時に、靴の履口が上方を向いて履底の爪先部に陽が当たる構造とした。
【００１５】
本考案者は、連続吊下できることを付け加えて、以上の三つの開発テーマを解決した靴用物干しハンガーの開発に成功し、本考案における靴用物干しハンガーの提案に至るものである。
【先行技術文献】
【特許文献】
【００１６】
【特許文献１】実用新案登録第３１１５４２６号公報
【特許文献２】特開２００９-２８４８４号公報
【特許文献３】実開平５-１４５２号公報
【特許文献４】特開２００４-２０２０７６号公報
【特許文献５】特開平１０-８５１７０号公報
【特許文献６】実用新案登録第３００９２８８号公報
【考案の概要】
【考案が解決しようとする課題】
【００１７】
本考案は、上記問題点に鑑み、初期乾燥時には、靴の踵部を下方に向けて水分の水切りを良くすると同時に、通常乾燥時には、靴の履口と爪先部を上方に向けて陽当り良くして乾燥時間を早めることができる靴用の物干しハンガーの提供を図る。
【課題を解決するための手段】
【００１８】
本考案の靴用物干しハンガーは、物干し竿に吊下する吊持フック部と、乾燥する靴を保持しながら回動する回動フレーム部と、吊持フック部と、回動フレーム部を連結中継する連結基軸部と、から構成され、該回動フレーム部を連結基軸部の設定角度内で回動することによって、初期乾燥時には、靴の踵部を下方に向けて水分の水切りを良くすると同時に、通常乾燥時には、靴の履口と爪先部を上方に向けて陽当り良くして乾燥時間を早める手段を採る。
【００１９】
また本考案は、吊持フック部は、略逆Ｕ字形に形成されるフック部の下端部に突起状の回動ジョイントを設けて成り、連結基軸部は、水平に設けられるパイプ管の両端部に回動角度設定切欠溝を設け、中央上側には段差付凹溝状の連結固定ジョイントを鉛直状に突設し、中央下側には吊下フック掛け部を設けて成り、回動フレーム部は、連結クランク部と連結フレーム部とで形成され、連結クランク部は、基部に連結基軸部の回動角度設定切欠溝に当接される回動角度設定突起を設けて連結フレーム部の上端内側に連設され、連結フレーム部は、上段甲部保持フレームと中段甲部保持フレームと下段踵部係止フレームとで形成され、上段甲部保持フレームは、下方に付勢する線状体のフレームの先端部に突起状の連結固定ジョイントを設けて回動フレーム部の後方上段に設けられる段差付凹溝状の連結固定ジョイントに連結し、中段甲部保持フレームは、線状体のフレームの先端部に突起状の連結固定ジョイントを設けて連結フレーム部の後方中段に設けられる段差付凹溝状の連結固定ジョイントに連結し、下段踵部係止フレームは、線状体のフレームの先端部に突起状の連結固定ジョイントを設けて連結フレーム部の前方下段に設けられる段差付凹溝状の連結固定ジョイントに連結し、該組み合わされた回動フレームを左右対称に設けて成り、吊持フック部の突起状の回動ジョイントと連結基軸部の中央上側に設けられる段差付凹溝状の回動ジョイントを回動自在に連結し、さらに、連結基軸部のパイプ管内において左右対称に組み合わされた回動フレーム部の連結部に設けられる段差付凹溝状の連結固定ジョイント同士を両側連結固定ジョイントを介して連結して成り、上段甲部保持フレームと中段甲部保持フレームとの間に形成される空間部に靴の甲部を差し込み、さらに該靴の踵部に下段踵部係止フレームの線状体のフレームの一部を当接させた状態で、回動フレームが回動角度設定切欠溝の範囲内で回動する手段を採る。
【００２０】
また本考案は、連結フレーム部の上辺部に設けられる枢支部を洗濯ピンチの枢軸凹部に嵌め込んで連結した手段を採る。
【考案の効果】
【００２１】
本考案の靴用物干しハンガーによれば、ハンガー本体が単純な形状で組み合わされる部品群で構成されることから、軽量且つコンパクトである上に、合成樹脂による射出成型を容易にすることで大量生産を可能として製造コストの低廉が図られる優れた効果を奏する。
【００２２】
また、本考案の靴用物干しハンガーによれば、連結フレーム部の上段甲部保持フレームと、中段甲部保持フレームとの間に、靴を差し込んで係止することによって物干し作業が容易にできる共に、連続吊下できる優れた効果を奏する。
【００２３】
また、本考案の靴用物干しハンガーによれば、回動フレーム部を手で軽く後押しすることによって、回動フレーム部自体の自重と重心の移動を靴の差し替え無しで上下方向を変えることができる優れた効果を奏する。
【００２４】
また、本考案の靴用物干しハンガーによれば、回動フレーム部を回動させることによって靴の踵部を下方に向けて水分が溜まることなく自然に水切りされる状態で乾燥ができる優れた効果を奏する。
【００２５】
また、本考案の靴用物干しハンガーによれば、回動フレーム部を回動させることによって、履口を上方に向けて陽当り良くして乾燥時間を早めることができる優れた効果を奏する。
【００２６】
また、本考案の靴用物干しハンガーによれば、靴の甲部を保持する手段を洗濯ピンチとすることで、常に安定した保持状態が維持できる優れた効果を奏する。
【図面の簡単な説明】
【００２７】
【図１】本考案の靴用物干しハンガーにおける請求項１記載の全体を示す説明図である。（実施例１）
【図２】本考案の靴用物干しハンガーにおける請求項１および請求項２記載の使用状態を示す説明図である。（実施例２）
【図３】本考案の靴用物干しハンガーにおける請求項１および請求項２記載の使用状態を示す手順図である。（実施例３）
【図４】本考案の靴用物干しハンガーにおける請求項１および請求項２記載の別の使用状態を示す説明図である。（実施例４）
【図５】本考案の靴用物干しハンガーにおける請求項３記載の全体を示す説明図である。（実施例５）
【考案を実施するための形態】
【００２８】
本考案の靴用物干しハンガーは、靴用物干しハンガーの回動フレーム部を連結基軸部に設けられる回動角度設定切欠溝の範囲内で回動する手段と、連結フレーム部の上辺部に設けられる枢支部を洗濯ピンチの枢軸凹部に嵌め込んで連結した手段を採ったことを最大の特徴とするもので、以下、実施例を図面を基に説明する。
【００２９】
また、本実施例で示される外形寸法や、部品の形状ならびに組み合せ形態は、下記に述べる実施例に特に限定されるものでなく、本考案の技術的思想に逸脱しない範囲で任意に変更することができる。
【実施例１】
【００３０】
図１は、本考案の靴用物干しハンガーにおける全体を示す説明図である。
図（ａ）は、本考案の靴用物干しハンガーの全体を示す斜視図である。
本考案の靴用物干しハンガー１は、吊持フック部１０と連結基軸部２０と回動フレーム部３０とから構成され、またそれらの構成される部品群が単純な形状で組み合わされることから、合成樹脂による射出成型を容易にして大量生産を可能にし、さらに製造コストの低廉が図られる構造としている。
【００３１】
図（ｂ）は、本考案の靴用物干しハンガーの構成を示す拡散分解図である。
本考案の靴用物干しハンガー１は、吊持フック部１０と連結基軸部２０と回動フレーム部３０とから構成され、該連結基軸部２０に設けられる回動角度設定切欠溝２４と連結クランク部４０の基部４３に設けられる回動角度設定突起４１との係合される範囲内で回動することによって乾燥する靴の上下方向を入れ替える構造を有するもので、下記に該組み合わされる各部品の構造と作用を説明する。
【００３２】
吊持フック部１０は、略逆Ｕ字形に形成されるフック部１１の下端部１３に、突起状の回動ジョイント１２を設けて構成され、フック部１１が略逆Ｕ字形に形成されるのは、靴用物干しハンガー１が物干し竿Ｍに吊持された場合、風や衝撃で物干し竿Ｍからフック部１１が外れ難くするもので、常時フック部１１が物干し竿Ｍの半円以上をカバーしている状態を維持する目的で設けられ、また吊持フック部１０の下端部１３に、突起状の回動ジョイント１２を設けられているのは、乾燥される靴Ｓの履口Ｇならびに履底Ｈを常に陽が当たる方向に向け易くするために設けられるものである。
【００３３】
連結基軸部２０は、各部品の連結を中継する役割を果たす目的で設けられるもので、水平に設けられるパイプ管２１の両端２３には、回動角度設定切欠溝２４を設け、中央上側には、段差付凹溝状の連結固定ジョイント２５を鉛直状に突設して形成し、吊持フック部１０の下端部１３の突起状の回動ジョイント１２に連結される。また、回動角度設定切欠溝２４と回動角度設定突起４１との係合で決定される靴Ｓの回動角度は、凡そ２２５度位が適当であり、上方開放時は斜め４５度、下方吊下時は１８０度真下状態を設定して形成されている。
【００３４】
吊持フック掛け部２６は、連結基軸部２０の中央下側にコの字型形状を有して開口部を閉鎖して設けられ、別の靴用物干しハンガー１のフック部１１を引っ掛けることにより、靴Ｓを連続して吊下することで、狭い物干しスペースで大量の靴Ｓを乾燥することができるもので、特に大家族のユーザーにおいては便利な物干しハンガーとなるものである。
【００３５】
回動フレーム部３０は、連結クランク部４０と、連結フレーム部５０と、靴Ｓの甲部Ｃを上から保持する上段甲部保持フレーム６０と、靴Ｓの甲部Ｃを下から支える中段甲部保持フレーム７０と、靴Ｓの踵部Ｋを係止する下段踵部係止フレーム８０とで形成される。靴Ｓの踵部Ｋと爪先部Ｔを下側にして乾燥される時の靴Ｓの傾きを抑え、靴Ｓを安定的に保持する役割を果たす目的で設けられる。
【００３６】
また、回動フレーム部３０は、連結クランク部４０と連結フレーム部５０と上段甲部保持フレーム６０と中段甲部保持フレーム７０と下段踵部係止フレーム８０とを一体成型して一部品として形成することも可能である。
【００３７】
連結クランク部４０は、基部４３には連結基軸部２０の回動角度設定切欠溝２４に嵌められる回動角度設定突起４１を設けて連結基軸部２０のパイプ管２１内で両側連結固定ジョイント５２で連結され、他端は靴Ｓの内側側面を回避するクランク状の凹部４４を形成して連結フレーム部５０に連接されている。
【００３８】
また、連結クランク部４０が設けられる大きな理由は、靴Ｓが垂直に吊下された場合、回動軸の中心が吊持フック部１０と物干し竿Ｍの接点と垂直に吊下される靴Ｓの重心位置を結ぶ線より外側に位置すると靴Ｓの踵部Ｋが上を向いて保持できないため、踵部Ｋをできるだけ水平または下方に向くように設けられている。
【００３９】
連結フレーム部５０は、矩形の板状体フレームで形成され、後方上段と後方中段と前方下段に段差付凹溝状の連結固定ジョイント５１を設けて、靴Ｓの履口Ｇから差し込まれて靴Ｓを保持または係止する目的で設けられ、上辺内側には、靴Ｓの内側側面を回避する連結クランク部４０が連接されている。
【００４０】
上段甲部保持フレーム６０は、下方に付勢する線状体のフレームの先端部６１に突起状の連結固定ジョイント６２を設けて連結フレーム部５０の後方上段に設けられる段差付凹溝状の連結固定ジョイント５１に連結して形成され、靴Ｓの甲部Ｃを外側から内側に付勢させて保持する目的で設けられる。
【００４１】
中段甲部保持フレーム７０は、線状体のフレームの先端部７１に突起状の連結固定ジョイント７２を設けて連結フレーム部５０の後方中段に設けられる段差付凹溝状の連結固定ジョイント５１に連結して形成され、靴Ｓの甲部Ｃを内側から支える目的で設けられる。
【００４２】
下段踵部係止フレーム８０は、線状体のフレームの先端部８１に突起状の連結固定ジョイント８２を設けて連結フレーム部５０の前方下段に設けられる段差付凹溝状の連結固定ジョイント５１に連結される。靴Ｓの爪先部Ｔを下方にして乾燥される状態で吊下される時、靴Ｓの踵部Ｋをフレームの一部で係止することによって、上段甲部保持フレーム６０と中段甲部保持フレーム７０との位置関係と相俟って安定的に係止することができる役割を果たす。
【００４３】
尚、図示はしていないが、下段踵部係止フレーム８０は、連結フレーム部５０の前方下段に設けられる段差付凹溝状の連結固定ジョイント５１を貫通穴とし、下段踵部係止フレーム８０の両端を直線状に延設することによってスライド可能な下段踵部係止フレームとすることができるもので、乾燥される靴のサイズに合わせ、さらに安定的に係止することができる仕様とすることができる。
【００４４】
空間部Ｄは、連結フレーム部５０の上段甲部保持フレーム６０と、中段甲部保持フレーム７０と間に形成されるもので、乾燥される靴Ｓの甲部Ｃを差し込むことによって安定的に保持される隙間空間を有する。
【００４５】
尚、本実施例は、靴用物干しハンガー１の種類を幼児から児童までと子供から大人までの２種類程度のサイズを対象として提供する形態を採っている。
【実施例２】
【００４６】
図２は、本考案の靴用物干しハンガーにおける請求項１および請求項２記載の使用状態を示す説明図である。
図（ａ）は、本考案の靴用物干しハンガーの初期の乾燥状態を示す説明図である。
靴Ｓの踵部Ｋを下方にして乾燥する状態を示すもので、靴Ｓの履底Ｈが下方に開口しているため靴中の水分Ｗが自然に水切りされる状態で吊下される。
【００４７】
図（ｂ）は、本考案の靴用物干しハンガーの通常の乾燥状態を示す説明図である。
靴Ｓの爪先部Ｔを下方にし、履口Ｇを上方にして乾燥する状態を示すもので、陽差しが靴中の奥まで差し込むため、靴中の乾燥時間を早める状態で吊下される。
【実施例３】
【００４８】
図３は、本考案の靴用物干しハンガーにおける請求項１および請求項２記載の使用状態を示す手順図である。
（１）本考案の靴用物干しハンガー１と、これから乾燥する靴Ｓを準備し、上段甲部狭持フレーム６０と中段甲部保持フレーム７０の間の空間部Ｄに靴Ｓの履口Ｇから甲部Ｃを差し入れる。
（２）靴Ｓの甲部Ｃの先端を上段甲部保持フレーム６０と中段甲部保持フレーム７０の間の空間部Ｄの奥（突き当たる）まで差し入れ、下段踵部係止フレーム８０を靴Ｓの履底Ｈに沿わせる。
（３）靴Ｓを上方に押し上げ、下段踵部係止フレーム８０の一部を靴Ｓの踵部Ｋに当接させる。
（４）回動フレーム部３０を上方に回動させて回動角度設定切欠溝２４の範囲内の終点で停止させる。この状態で乾燥することによって、靴中の水分Ｗが下方に垂れて自然と水切りされる。
（５）（４）の状態で１時間程乾燥させたら、回動フレーム部３０の後方を手で軽く押して回動させる。
（６）回動フレーム部３０と靴Ｓの自重と重心位置の移動により靴Ｓは、靴の差し替え無しで自然と爪先部Ｔを下方にした状態で吊下される。また、吊持フック部１０の回動ジョイント１２を水平方向に回して陽差しの方向に靴Ｓの履口Ｇならびに履底Ｈを向けて乾燥することができる。
【００４９】
こうして使用される靴用物干しハンガー１は、乾燥される靴Ｓが最小限の手間と最適の陽当たり状態で乾燥されるため、乾燥時間を最大限に短縮して乾燥させることができる。
【実施例４】
【００５０】
図４は、本考案の靴用物干しハンガーにおける請求項１および請求項２記載の別の使用状態を示す説明図である。
図（ａ）は、本考案の靴用物干しハンガーが連続して吊下される使用状態を示す説明図である。
靴Ｓの踵部Ｋを下方にして乾燥する状態を示すもので、乾燥される靴Ｓの甲部Ｃを連結フレーム部５０の上段甲部保持フレーム６０と、中段甲部保持フレーム７０と間に差し込むことによって安定的に保持されるものである。靴Ｓの履底Ｈが下方に開口しているため靴中の水分Ｗが自然に水切りされる状態で吊下される。さらに連続して吊下されることによって狭い物干しスペースで大量の靴Ｓを乾燥することができる。
【００５１】
図（ｂ）は、本考案の靴用物干しハンガーが連続して吊下される使用状態を示す説明図である。
靴Ｓの爪先部Ｔを下方にし、履口Ｇを上方にして乾燥する状態を示すもので、陽の日差しが靴中の奥まで差し込むため、靴中の乾燥時間を早める状態で吊下される。靴Ｓが垂直に吊下された場合、回動軸の中心が吊持フック部１０と物干し竿Ｍの接点と垂直に吊下される靴Ｓの重心位置を結ぶ線より外側に位置すると靴Ｓの踵部Ｋが上を向いて保持できないため、踵部Ｋをできるだけ水平または下方に向くように設けられている。連続して吊下されることによって狭い物干しスペースで大量の靴Ｓを乾燥することができる。
【００５２】
また、靴Ｓの爪先部Ｔを下方にして乾燥される状態で吊下される時、靴Ｓの踵部Ｋをフレームの一部で係止することによって、上段甲部保持フレーム６０と中段甲部保持フレーム７０との位置関係と相俟って安定的に係止することができる。
【実施例５】
【００５３】
図５は、本考案の靴用物干しハンガーにおける請求項３記載の全体を示す説明図である。
本考案の靴用物干しハンガー１は、連結フレーム部５０の上辺部５４を開口して、互いに向かい合う枢支部５３を設け、該枢支部５３を洗濯ピンチ９０の枢軸凹部９１に嵌め込んで連結するものである。
【００５４】
靴Ｓの甲部Ｃを洗濯ピンチ９０で狭持して靴Ｓを安定的に保持するもので、下段踵部係止フレーム８０と共に靴Ｓの履底Ｈを支えることによって靴Ｓのサイズならびに形状を問うことなく安定的に保持できる構造としている。また、靴Ｓの甲部Ｃを洗濯ピンチ９０で確実に保持できることから下段踵部係止フレーム８０を設けない仕様とすることもできる。
【００５５】
使用する方法は、図４の（１）、（２）、（３）の手順で靴Ｓの甲部Ｃを洗濯ピンチ９０で狭持する以外は、上段甲部保持フレーム６０と中段甲部保持フレーム７０を使用した場合と同様である。
【産業上の利用可能性】
【００５６】
本考案の靴用物干しハンガーは、軽量且つ小型で、大量生産が可能あること、物干し作業ならびにハンガーの操作が簡単であること、踵部が下側を向いて水分が溜まることなく自然と水切りがなされると同時に、履口を上方に向けて陽当り良くすることによって乾燥時間の短縮が図れる物干しハンガーであることからして、本考案における靴用物干しハンガーの産業上の利用可能性は極めて高いものと解する。
【符号の説明】
【００５７】
１  靴用物干しハンガー
１０  吊持フック部
１１  フック部
１２  回動ジョイント
１３  下端部
２０  連結基軸部
２１  パイプ管
２４  回動角度設定切欠溝
２５  回動ジョイント
２６  吊下フック掛け部
３０  回動フレーム部
３１  連結固定ジョイント
４０  連結クランク部
４１  回動角度設定突起
４２  連結固定ジョイント
４３  基部
４４  凹部
５０  連結フレーム部
５１  連結固定ジョイント
５２  両側連結固定ジョイント
５３  枢支部
５４  上辺部
６０  上段甲部保持フレーム
６１  先端部
６２  連結固定ジョイント
７０  中段甲部保持フレーム
７１  先端部
７２  連結固定ジョイント
８０  下段踵部係止フレーム
８１  先端部
８２  連結固定ジョイント
９０  洗濯ピンチ
９１  枢軸凹部
Ｄ    空間部
Ｓ    靴
Ｋ    踵部
Ｔ    爪先部
Ｃ    甲部
Ｈ    履底
Ｇ    履口
Ｍ    物干し竿
Ｗ    水分
【図１】
0003164518.tif 000003
【図２】
0003164518.tif 000004
【図３】
0003164518.tif 000005
【図４】
0003164518.tif 000006
【図５】
0003164518.tif 000007